【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
筐体内に、少なくともポンプ、前記ポンプを駆動するモータ及び流量計が収納されている第１の部品収納室と、少なくとも前記モータの電源回路を含む制御回路及び表示装置が収納されている第２の部品収納室とを備え、前記モータと前記制御回路とが接続用電気ケーブルによって接続されている計量機であって、
前記ポンプは水に浸かっても内部に水が入らない防水構造と防爆構造を有しており、
前記流量計は防水構造と防爆構造を有しており、
前記モータは防爆構造を有しているが防水構造は有しておらず、しかも工具を使用せずに取り外しが可能な取付構造を用いて前記第１の部品収納室内に固定されており、
前記接続用電気ケーブルは、前記モータから延びる第１の電気ケーブルと前記第２の部品収納室から出て前記第１の部品収納室内に延びる第２の電気ケーブルと、前記第１の部品収納室内に配置されて前記第１の電気ケーブルと前記第２の電気ケーブルとを接続する防水構造及び防爆構造を有するコネクタとからなり、
前記第２の部品収納室は防水構造を有しており、
前記筐体は、販売時点情報管理装置が収納された防水構造を有しない第３の収納室を更に備え、
前記コネクタは、前記第１の電気ケーブルに接続された第１のコネクタ部材と、前記第２の電気ケーブルに接続された第２のコネクタ部材とからなり、
前記第１のコネクタ部材と前記第２のコネクタ部材とは、工具を使用せずに接続及び分離が可能な構造を有し、
前記ポンプの上にはモータ固定台が固定されており、
前記モータは前記モータ固定台に取り付けられた前記取付構造を用いて固定されており、
前記取付構造は、前記モータ固定台に固定されたベルト取付部と、前記モータを間に介して前記ベルト取付部と対向する位置に前記モータ固定台に固定されたアジャスト・ファスナ取付部と、該アジャスト・ファスナ取付部に取り付けられたアジャスト・ファスナ本体と、前記ベルト取付部に一端が取り付けられ、他端にアジャスト・ファスナ用フックが取り付けられて前記モータを前記モータ固定台に向かって押し付けるベルトとから構成されており、
前記ポンプは、内部に空気分離装置で分離された空気を溜めるサンプ室を有しており、
前記サンプ室の空気を外部に放出する空気放出路には、前記ポンプが水に浸かったときに、前記サンプ室に水が入ることを阻止するフロート・バルブが設けられており、
前記フロート・バルブは、前記モータ固定台に固定され、
前記第２の部品収納室の防水構造は、前記第２の部品収納室に引き込まれる信号線及び動力線を介して前記第２の部品収納室内に水が入ることを阻止するために、防水コネクタを備えていることを特徴とする計量機。
【請求項２】
筐体内に、少なくともポンプ、前記ポンプを駆動するモータ及び流量計が収納されている第１の部品収納室と、少なくとも前記モータの電源回路を含む制御回路及び表示装置が収納されている第２の部品収納室とを備え、前記モータと前記制御回路とが接続用電気ケーブルによって接続されている計量機であって、
前記ポンプは水に浸かっても内部に水が入らない防水構造と防爆構造を有しており、
前記流量計は防水構造と防爆構造を有しており、
前記モータは防爆構造を有しているが防水構造は有しておらず、しかも工具を使用せずに取り外しが可能な取付構造を用いて前記第１の部品収納室内に固定されており、
前記接続用電気ケーブルは、前記モータから延びる第１の電気ケーブルと前記第２の部品収納室から出て前記第１の部品収納室内に延びる第２の電気ケーブルと、前記第１の部品収納室内に配置されて前記第１の電気ケーブルと前記第２の電気ケーブルとを接続する防水構造及び防爆構造を有するコネクタとからなり、
前記第２の部品収納室は防水構造を有していることを特徴とする計量機。
【請求項３】
前記筐体は、販売時点情報管理装置が収納された防水構造を有しない第３の収納室を更に備えている請求項２に記載の計量機。
【請求項４】
前記コネクタは、前記第１の電気ケーブルに接続された第１のコネクタ部材と、前記第２の電気ケーブルに接続された第２のコネクタ部材とからなり、
前記第１のコネクタ部材と前記第２のコネクタ部材とは、工具を使用せずに接続及び分離が可能な構造を有している請求項２または３に記載の計量機。
【請求項５】
前記ポンプの上にはモータ固定台が固定されており、
前記モータは前記モータ固定台に取り付けられた前記取付構造を用いて固定されている請求項２または３に記載の計量機。
【請求項６】
前記ポンプの上にはモータ固定台が固定されており、
前記モータは前記モータ固定台に取り付けられた前記取付構造を用いて固定されており、
前記第２のコネクタ部材は、前記第１のコネクタ部材が上側に位置する姿勢で前記モータ固定台に固定されている請求項４に記載の計量機。
【請求項７】
前記取付構造は、
前記モータ固定台に固定されたベルト取付部と、前記モータを間に介して前記ベルト取付部と対向する位置に前記モータ固定台に固定されたアジャスト・ファスナ取付部と、該アジャスト・ファスナ取付部に取り付けられたアジャスト・ファスナ本体と、前記ベルト取付部に一端が取り付けられ、他端にアジャスト・ファスナ用フックが取り付けられて前記モータを前記モータ固定台に向かって押し付けるベルトとから構成されている請求項５に記載の計量機。
【請求項８】
前記アジャスト・ファスナ本体は、前記アジャスト・ファスナ用フックと係合するフック係合部と、手動でセット操作されると前記フック係合部を介して前記アジャスト・ファスナ用フックに引っ張り力を与え、手動で解除操作されると前記フック係合部と前記アジャスト・ファスナ用フックとの係合を解除する操作機構とを備えている請求項７に記載の計量機。
【請求項９】
前記取付構造は、
前記モータの取付用ベースに設けられた係合部と、
前記モータ固定台に設けられて前記モータの係合部と係合する被係合部とを更に備えており、
前記係合部と前記被係合部とは、前記モータを前記ポンプに近づけるときに係合状態となり、前記モータを前記ポンプから離すときに非係合状態になる係合構造を有している請求項５に記載の計量機。
【請求項１０】
前記係合部は複数の穴及び複数のピンの一方からなり、前記被係合部は前記複数の穴及び前記複数のピンの他方からなる請求項９に記載の計量機。
【請求項１１】
前記ポンプは、内部に空気分離装置で分離された空気を溜めるサンプ室を有しており、
前記サンプ室の空気を外部に放出する空気放出路には、前記ポンプが水に浸かったときに、前記サンプ室に水が入ることを阻止するフロート・バルブが設けられている請求項２乃至１０のいずれか１項に記載の計量機。
【請求項１２】
前記フロート・バルブは、前記モータ固定台に固定されている請求項１１に記載の計量機。
【請求項１３】
前記第２の部品収納室の防水構造は、前記第２の部品収納室に引き込まれる信号線及び動力線を介して前記第２の部品収納室内に水が入ることを阻止するために、防水コネクタを備えている請求項２乃至１２のいずれか１項に記載の計量機。
【請求項１４】
前記取付構造は、
前記モータの取付用ベースに設けられた複数の貫通穴と、
前記モータ固定台に設けられて前記複数の貫通穴を貫通する複数のネジ付きピンと、
前記複数の貫通穴に挿入されて前記複数の貫通穴から突出する前記複数のネジ付きピンのネジ部に螺合されて手作業で回すことができる複数の手回しナット部材とからなる請求項２に記載の計量機。